(57)【要約】【課題】  本来表示すべきでない画像が表示されることを防止しつつ、なぜ画像が表示されないのか容易に知らせることができる。【解決手段】  制御装置は、アンテナ１１と、チューナ１２と、ＸＤＳ分析部３１と、メモリ１５と、ＮＴＳＣデコーダ１３の出力端子と、ＭＰＵ１４と、処理部１７と、合成部２１およびスピーカ２２とを含む。アンテナ１１は、放送信号を受信する。チューナ１２は、放送信号を抽出する。ＸＤＳ分析部３１は、映像の種類を抽出する。メモリ１５は、表示を禁ずる映像の種類などを記憶する。ＮＴＳＣデコーダ１３の出力端子は、放送信号を出力する。ＭＰＵ１４は、放送信号が表わす映像の種類を判断する。処理部１７は、放送信号が表示を禁ずる種類の映像を表わす場合、放送信号の出力を停止する。合成部２１およびスピーカ２２は、そのような場合、音楽を表わす音を用いて情報を出力する。【選択図】        図１
2007074372.tif 000002
【特許請求の範囲】
【請求項１】
放送信号を受信するための受信手段と、
前記受信手段が受信した放送信号のいずれかを抽出するための第１の抽出手段と、
前記第１の抽出手段が抽出した放送信号である抽出信号から、前記抽出信号の一部が表わす映像の種類の情報を抽出するための第２の抽出手段と、
表示する映像の種類および表示を禁ずる映像の種類のいずれかを表わす情報を記憶するための記憶手段と、
前記抽出信号に対応する映像を表示するための表示手段と、
前記第２の抽出手段が抽出した情報と前記記憶手段が記憶した情報とを比較することにより、前記抽出信号が表示を禁ずる種類の映像を表わすか否かを判断するための判断手段と、
前記抽出信号が表示を禁ずる種類の映像を表わす場合、前記表示手段による表示を停止するための停止手段と、
前記抽出信号が表示を禁ずる種類の映像を表わす場合、音楽を表わす音を用いて情報を出力するための手段とを含む、テレビ。
【請求項２】
放送信号を受信するための受信手段と、
前記受信手段が受信した放送信号のいずれかを抽出するための第１の抽出手段と、
前記第１の抽出手段が抽出した放送信号である抽出信号から、前記抽出信号の一部が表わす映像の種類の情報を抽出するための第２の抽出手段と、
表示する映像の種類および表示を禁ずる映像の種類のいずれかを表わす情報を記憶するための記憶手段と、
前記抽出信号を出力するための第１の出力手段と、
前記第２の抽出手段が抽出した情報と前記記憶手段が記憶した情報とを比較することにより、前記抽出信号が表示を禁ずる種類の映像を表わすか否かを判断するための判断手段と、
前記抽出信号が表示を禁ずる種類の映像を表わす場合、前記第１の出力手段による放送信号の出力を停止するための停止手段と、
前記抽出信号が表示を禁ずる種類の映像を表わす場合、情報を出力するための第２の出力手段とを含む、制御装置。
【請求項３】
前記第２の出力手段は、光を用いて前記情報を出力するための手段を含む、請求項２に記載の制御装置。
【請求項４】
前記第２の出力手段は、音を用いて前記情報を出力するための手段を含む、請求項２に記載の制御装置。
【請求項５】
前記音を用いて情報を出力するための手段は、口上を表わす音を用いて前記情報を出力するための手段を含む、請求項４に記載の制御装置。
【請求項６】
前記音を用いて情報を出力するための手段は、音楽を表わす音を用いて前記情報を出力するための手段を含む、請求項４に記載の制御装置。
【請求項７】
前記第２の出力手段は、
前記抽出信号が表示を禁ずる種類の映像を表わす場合、光を用いて前記情報を出力するための手段と、
前記抽出信号が表示を禁ずる種類の映像を表わす場合、音を用いて前記情報を出力するための手段とを含む、請求項２に記載の制御装置。
【請求項８】
前記記憶手段は、前記表示を禁ずる映像の種類を表わす情報である、レーティングを記憶するための手段を含む、請求項２に記載の制御装置。
【請求項９】
放送信号を受信する受信ステップと、
前記受信ステップにおいて受信した放送信号のいずれかを抽出する第１の抽出ステップと、
前記第１の抽出ステップにおいて抽出した放送信号である抽出信号から、前記抽出信号の一部が表わす映像の種類の情報を抽出する第２の抽出ステップと、
表示する映像の種類および表示を禁ずる映像の種類のいずれかを表わす情報を記憶する記憶ステップと、
前記抽出信号を出力する第１の出力ステップと、
前記第２の抽出ステップにおいて抽出した情報と前記記憶ステップにおいて記憶した情報とを比較することにより、前記抽出信号が表示を禁ずる種類の映像を表わすか否かを判断する判断ステップと、
前記抽出信号が表示を禁ずる種類の映像を表わす場合、前記第１の出力ステップによる放送信号の出力を停止する停止ステップと、
前記抽出信号が表示を禁ずる種類の映像を表わす場合、情報を出力する第２の出力ステップとを含む各ステップをコンピュータに実行させるための制御プログラム。
【請求項１０】
放送信号を受信する受信ステップと、
前記受信ステップにおいて受信した放送信号のいずれかを抽出する第１の抽出ステップと、
前記第１の抽出ステップにおいて抽出した放送信号である抽出信号から、前記抽出信号の一部が表わす映像の種類の情報を抽出する第２の抽出ステップと、
表示する映像の種類および表示を禁ずる映像の種類のいずれかを表わす情報を記憶する記憶ステップと、
前記抽出信号を出力する第１の出力ステップと、
前記第２の抽出ステップにおいて抽出した情報と前記記憶ステップにおいて記憶した情報とを比較することにより、前記抽出信号が表示を禁ずる種類の映像を表わすか否かを判断する判断ステップと、
前記抽出信号が表示を禁ずる種類の映像を表わす場合、前記第１の出力ステップによる放送信号の出力を停止する停止ステップと、
前記抽出信号が表示を禁ずる種類の映像を表わす場合、情報を出力する第２の出力ステップとを含む各ステップをコンピュータに実行させるための制御プログラムを記録したコンピュータ読取り可能な記録媒体。
【発明の詳細な説明】
【技術分野】
【０００１】
本発明は、テレビ、制御装置、制御プログラム、および制御プログラムを記録したコンピュータ読取り可能な記録媒体に関し、特に、受信機の少なくとも一部として用いるテレビ、制御装置、制御プログラム、および制御プログラムを記録したコンピュータ読取り可能な記録媒体に関する。
【背景技術】
【０００２】
特許文献１は、テレビ番組の内容に応じて許容ランクの付加された映像信号を入力するチューナと、チューナにて入力された映像信号から許容ランクを抽出し、自らが抽出した許容ランクが所定の禁止ランク内である場合に映像同期させ、禁止ランクを超える場合には映像同期を外すマイクロコンピュータとを含む映像処理装置を開示する。
【０００３】
特許文献１に開示された発明によると、映像信号に付加された許容ランクに基づいて映像出力を制御する場合において、利用者の違和感を軽減できる。
【０００４】
特許文献２は、テレビジョン信号を受信しかつ処理することによってビデオ画像を生成するテレビジョン受信機を開示する。テレビジョン受信機は、ビデオ画像から独立したインタラクティブプログラムガイド（ＩＰＧ）データおよびメッセージデータをテレビジョン信号の垂直帰線期間内に含むテレビジョン信号を受信するチューナと、イベントの発生を示すアラームと、ＩＰＧデータベースを格納したメモリと、テレビジョン信号の垂直帰線期間内に受信されたデータを処理することにより、テレビジョン信号からメッセージデータおよびＩＰＧデータを抽出する回路と、メッセージデータを処理することにより、イベントのステータスを決定し、ＩＰＧサービスから番組レーティング値を受信し、番組レーティング値が所定の値よりも大きいか否かを決定し、番組レーティング値が所定の値よりも大きい場合にはアラームを動作状態にし、ユーザコマンドに応答して可聴アラームを選択的に非動作状態にするマイクロコントローラとを含む。
【０００５】
特許文献２に開示された発明によると、イベントの発生を、通知信号を用いて知らせることができる。
【０００６】
特許文献３は、番組の選局操作が行われた場合に、指定されたチャンネルにチューニングを行うとともにレーティング情報を取得する回路と、チューニングによって得られた番組映像とともに、取得されたレーティング情報を、表示器に表示させる回路とを含むＶチップ方式採用のテレビジョン受像機を開示する。
【０００７】
特許文献３に開示された発明によると、選局された番組のレーティングをユーザが知ることができる。
【０００８】
特許文献４は、ＲＧＢ信号形式の映像ＲＧＢ信号に画像処理がなされる処理部が備えられている表示装置を開示する。表示装置は、処理部が、文字列や図形を含むメニュー情報をオンスクリーン表示信号として映像信号に重畳させて表示するためのオンスクリーン出力制御部と、入力されてくる映像信号から抽出されたクローズドキャプション信号に基づいて作成されたテキスト情報をクローズドキャプション表示信号として映像信号に重畳させて表示するためのクローズドキャプション出力制御部とを、それぞれ独立に別個に備える。
【０００９】
特許文献４に開示された発明によると、２個以上の複数個の映像信号それぞれに対応するクローズドキャプション信号に基づいて生成されるそれぞれのクローズドキャプション表示信号を、対応するそれぞれの映像表示画面に映像信号と重畳させて表示させることができる。
【特許文献１】特開２０００−２０９５６１号公報
【特許文献２】特開２００４−４８７９１号公報
【特許文献３】特開２０００−１３４５５５号公報
【特許文献４】特開２００４−２３１３９号公報
【発明の開示】
【発明が解決しようとする課題】
【００１０】
しかし、特許文献１に開示された発明では、禁止ランクを超える映像信号が放送されているため映像の同期が得られないのか、それ以外の理由により映像の同期が得られないのかわかりにくいという問題点がある。
【００１１】
特許文献２に開示された発明では、番組が視聴に適しているか否かを決定することが難しいという問題点がある。
【００１２】
特許文献３および特許文献４に開示された発明では、本来表示すべきでない画像が表示され得るという問題点がある。
【００１３】
本発明は上述の問題点を解決するためになされたものであって、その目的は、本来表示すべきでない画像が表示されることを防止しつつ、なぜ画像が表示されないのか容易に知らせることができるテレビ、制御装置、制御プログラム、および制御プログラムを記録したコンピュータ読取り可能な記録媒体を提供することにある。
【課題を解決するための手段】
【００１４】
上記目的を達成するために、本発明のある局面に従うと、テレビは、受信手段と、第１の抽出手段と、第２の抽出手段と、記憶手段と、表示手段と、判断手段と、停止手段と、情報を出力するための手段とを含む。受信手段は、放送信号を受信する。第１の抽出手段は、受信手段が受信した放送信号のいずれかを抽出する。第２の抽出手段は、第１の抽出手段が抽出した放送信号である抽出信号から、抽出信号の一部が表わす映像の種類の情報を抽出する。記憶手段は、表示する映像の種類および表示を禁ずる映像の種類のいずれかを表わす情報を記憶する。表示手段は、抽出信号に対応する映像を表示する。判断手段は、第２の抽出手段が抽出した情報と記憶手段が記憶した情報とを比較することにより、抽出信号が表示を禁ずる種類の映像を表わすか否かを判断する。停止手段は、抽出信号が表示を禁ずる種類の映像を表わす場合、表示手段による表示を停止する。情報を出力するための手段は、抽出信号が表示を禁ずる種類の映像を表わす場合、音楽を表わす音を用いて情報を出力する。
【００１５】
本発明の他の局面に従うと、制御装置は、受信手段と、第１の抽出手段と、第２の抽出手段と、記憶手段と、第１の出力手段と、判断手段と、停止手段と、第２の出力手段とを含む。受信手段は、放送信号を受信する。第１の抽出手段は、受信手段が受信した放送信号のいずれかを抽出する。第２の抽出手段は、第１の抽出手段が抽出した放送信号である抽出信号から、抽出信号の一部が表わす映像の種類の情報を抽出する。記憶手段は、表示する映像の種類および表示を禁ずる映像の種類のいずれかを表わす情報を記憶する。第１の出力手段は、抽出信号を出力する。判断手段は、第２の抽出手段が抽出した情報と記憶手段が記憶した情報とを比較することにより、抽出信号が表示を禁ずる種類の映像を表わすか否かを判断する。停止手段は、抽出信号が表示を禁ずる種類の映像を表わす場合、第１の出力手段による放送信号の出力を停止する。第２の出力手段は、抽出信号が表示を禁ずる種類の映像を表わす場合、情報を出力する。
【００１６】
また、上述の第２の出力手段は、光を用いて情報を出力するための手段を含むことが望ましい。
【００１７】
また、上述の第２の出力手段は、音を用いて情報を出力するための手段を含むことが望ましい。
【００１８】
もしくは、音を用いて情報を出力するための手段は、口上を表わす音を用いて情報を出力するための手段を含むことが望ましい。
【００１９】
もしくは、音を用いて情報を出力するための手段は、音楽を表わす音を用いて情報を出力するための手段を含むことが望ましい。
【００２０】
また、上述の第２の出力手段は、抽出信号が表示を禁ずる種類の映像を表わす場合、光を用いて情報を出力するための手段と、抽出信号が表示を禁ずる種類の映像を表わす場合、音を用いて情報を出力するための手段とを含むことが望ましい。
【００２１】
また、上述の記憶手段は、表示を禁ずる映像の種類を表わす情報である、レーティングを記憶するための手段を含むことが望ましい。
【００２２】
本発明の他の局面に従うと、制御プログラムは、受信ステップと、第１の抽出ステップと、第２の抽出ステップと、記憶ステップと、第１の出力ステップと、判断ステップと、停止ステップと、第２の出力ステップとを含む各ステップをコンピュータに実行させる。受信ステップは、放送信号を受信する。第１の抽出ステップは、受信ステップにおいて受信した放送信号のいずれかを抽出する。第２の抽出ステップは、第１の抽出ステップにおいて抽出した放送信号である抽出信号から、抽出信号の一部が表わす映像の種類の情報を抽出する。記憶ステップは、表示する映像の種類および表示を禁ずる映像の種類のいずれかを表わす情報を記憶する。第１の出力ステップは、抽出信号を出力する。判断ステップは、第２の抽出ステップにおいて抽出した情報と記憶ステップにおいて記憶した情報とを比較することにより、抽出信号が表示を禁ずる種類の映像を表わすか否かを判断する。停止ステップは、抽出信号が表示を禁ずる種類の映像を表わす場合、第１の出力ステップによる放送信号の出力を停止する。第２の出力ステップは、抽出信号が表示を禁ずる種類の映像を表わす場合、情報を出力する。
【００２３】
本発明の他の局面にしたがうと、記録媒体は、制御プログラムを記録したコンピュータ読取り可能な記録媒体である。制御プログラムは、受信ステップと、第１の抽出ステップと、第２の抽出ステップと、記憶ステップと、第１の出力ステップと、判断ステップと、停止ステップと、第２の出力ステップとを含む各ステップをコンピュータに実行させる。受信ステップは、放送信号を受信する。第１の抽出ステップは、受信ステップにおいて受信した放送信号のいずれかを抽出する。第２の抽出ステップは、第１の抽出ステップにおいて抽出した放送信号である抽出信号から、抽出信号の一部が表わす映像の種類の情報を抽出する。記憶ステップは、表示する映像の種類および表示を禁ずる映像の種類のいずれかを表わす情報を記憶する。第１の出力ステップは、抽出信号を出力する。判断ステップは、第２の抽出ステップにおいて抽出した情報と記憶ステップにおいて記憶した情報とを比較することにより、抽出信号が表示を禁ずる種類の映像を表わすか否かを判断する。停止ステップは、抽出信号が表示を禁ずる種類の映像を表わす場合、第１の出力ステップによる放送信号の出力を停止する。第２の出力ステップは、抽出信号が表示を禁ずる種類の映像を表わす場合、情報を出力する。
【発明の効果】
【００２４】
本発明に係るテレビ、制御装置、制御プログラム、および制御プログラムを記録したコンピュータ読取り可能な記録媒体は、本来表示すべきでない画像が表示されることを防止しつつ、なぜ画像が表示されないのか容易に知らせることができる。
【発明を実施するための最良の形態】
【００２５】
以下、図面を参照しつつ、本発明の実施の形態について説明する。以下の説明では、同一の部品には同一の符号を付してある。それらの名称および機能も同一である。したがって、それらについての詳細な説明は繰返さない。
【００２６】
図１には、この発明の実施の形態に適用されるテレビの構成が示される。図１の構成はＮＴＳＣ（National Television System Committee Standard）に従う放送信号を受信する場合のシステムを示すが、放送信号はＮＴＳＣに従うものに限定されず、ＡＴＳＣ（Advanced Television System Committee）に従うものであってもよい。ＡＴＳＣに従う場合はＸＤＳ情報に代替してＲＲＴ（Rating Region Table）情報が適用される。
【００２７】
図１においてテレビは、放送信号を受信するアンテナ１１、所定チャンネルの周波数を指示する選局信号２４に基づいて同調動作して、アンテナ１１により受信した放送信号のうちの、所定チャンネルに対応の放送信号２５を選択的に抽出して出力するチューナ１２、チューナ１２から出力された放送信号２５を入力して処理して、ＸＤＳ（Extended Data Services）情報２６（ＸＤＳ情報とは、映像信号に重畳された信号が表わす、情報のことをいう）と映像信号２７とを出力するＮＴＳＣデコーダ１３、テレビ自体を集中的に制御するＭＰＵ（Micro Processor Unit）１４、ＭＰＵ１４によりアクセスされる各種情報を記憶するメモリ１５、チューナ１２が抽出した放送信号２５に対応する映像を表示する表示部１６、表示部１６にＯＳＤ（On Screen Display）などに従う情報を出力する処理部１７、リモコン（リモートコントローラの略）１９から送信される赤外線などによる操作信号２８を受信して、受信した操作信号２８をデータに変換してＭＰＵ１４に与えるリモコン受信部１８、互いに異なる色を発する複数のＬＥＤからなり、点滅によりユーザにテレビの状態を通知するインディケータ２０、音声データを合成する合成部２１、合成部２１が合成した音声データに基づき音声を出力するスピーカ２２、およびメモリカード６０からデータやプログラムを読取るメモリカードドライブ２３を備える。本実施の形態の場合、図１に示すテレビのうち、表示部１６を除く装置が１台の制御装置を構成する。
【００２８】
ＭＰＵ１４は内部にタイマ４１を有し、タイマ４１はＸＤＳ情報２６に従う現在時刻が取得されると、これが設定されて、現在時刻を計時する機能を有する。
【００２９】
ＮＴＳＣデコーダ１３はＸＤＳ分析部３１を有する。ＸＤＳ分析部３１は放送信号２５を入力して所定期間（例えば映像信号２７の２１番目の水平走査期間）に重畳されている情報を抽出して、抽出結果を示すデジタル情報のＸＤＳ情報２６に変換してＭＰＵ１４に出力する。ＸＤＳ情報２６は、放送信号２５に重畳されている情報を抽出できたときは抽出された情報を示すが、抽出できなかったときはその旨の情報を示す。
【００３０】
リモコン１９の主表面にはユーザのための操作パネルが設けられる。操作パネルには、表示部１６における後述のカーソルを画面上で左右方向または上下方向に移動させるために操作されるカーソルキー９１、所望チャンネルの直接指定をするために操作されるテンキー９２、および操作内容を決定するために操作される決定キー９３を備える。リモコン１９に備えられるキーの種類はこれに限定されない。
【００３１】
メモリ１５には、チャンネルマップ５１が記憶される。チャンネルマップ５１には、図１のアンテナ１１を介して受信可能な放送信号に対応のすべてのチャンネルの番号が登録される。メモリ１５は、表示する映像の種類および表示を禁ずる映像の種類のいずれかを表わす情報（本実施の形態の場合レーティングのこと）を記憶する装置でもある。
【００３２】
このテレビは、コンピュータハードウェアとＭＰＵ１４により実行されるソフトウェアとにより実現される。一般的にこうしたソフトウェアは、メモリカード６０などの記録媒体に格納されて流通し、メモリカードドライブ２３などにより記録媒体から読取られてメモリ１５に一旦格納される。さらにＭＰＵ１４により実行される。上述したコンピュータのハードウェア自体は一般的なものである。したがって、本発明の最も本質的な部分は、メモリカード６０などの記録媒体に記録されたソフトウェアである。
【００３３】
図２を参照して、テレビで実行されるプログラムは、レーティングの比較に関し、以下のような制御を実行する。
【００３４】
ステップ１００（以下ステップをＳと略す。）にて、アンテナ１１は放送信号を受信する。放送信号が受信されると、チューナ１２は、アンテナ１１が受信した放送信号のいずれか（本実施の形態の場合、所定チャンネルに対応する放送信号２５）を選択的に抽出する。放送信号２５が抽出されると、ＮＴＳＣデコーダ１３のＸＤＳ分析部３１は、チューナ１２が抽出した放送信号２５である抽出信号から、抽出信号の一部が表わす映像の種類の情報（すなわちレーティングを含むＸＤＳ情報２６）を抽出する。ＸＤＳ情報２６が抽出されると、ＸＤＳ分析部３１は、ＸＤＳ情報２６をＭＰＵ１４に出力する。ＸＤＳ情報２６が出力されると、ＭＰＵ１４はＸＤＳ情報２６に基づき、放送信号２５のレーティングを調べる。本来、放送信号のレーティングは生放送の放送中であっても時間の経過と共に変化するものである。事実上においては、放送信号のレーティングは、１つの番組ごとに統一されている。
【００３５】
Ｓ１０２にて、ＭＰＵ１４は、メモリ１５が予め記憶したレーティングと放送信号２５を通じて送られてきたレーティングとが一致するか否かを判断する。これにより、ＭＰＵ１４は、ＸＤＳ分析部３１が抽出したＸＤＳ情報２６とメモリ１５が記憶した情報とを比較することにより、チューナ１２が抽出した放送信号２５が表示を禁ずる種類の映像を表わすか否かを判断することとなる。レーティングが一致すると判断した場合（Ｓ１０２にてＹＥＳ）、処理はＳ１０４へと移される。もしそうでないと（Ｓ１０２にてＮＯ）、処理はＳ１０８へと移される。
【００３６】
Ｓ１０４にて、処理部１７は、ＭＰＵ１４の制御により、表示部１６に表示させる信号を停止する。これにより、処理部１７は、チューナ１２が抽出した放送信号２５が表示を禁ずる種類の映像を表わす場合、ＮＴＳＣデコーダ１３の出力端子による放送信号（本実施の形態の場合、映像信号２７）の出力を停止することとなる。あわせて、処理部１７は、チューナ１２が抽出した放送信号２５が表示を禁ずる種類の映像を表わす場合、表示部１６による表示を停止することとなる。これにより、表示部１６は黒画面になる。
【００３７】
Ｓ１０６にて、ＭＰＵ１４はインディケータ２０を点滅させるなどの処理を行なう。本実施の形態の場合、ＭＰＵ１４は、インディケータ２０を３秒点滅させた後１秒点灯させることを繰返す。これにより、インディケータ２０は、チューナ１２が抽出した放送信号２５が表示を禁ずる種類の映像を表わす場合、情報を出力することとなる。
【００３８】
Ｓ１０８にて、ＮＴＳＣデコーダ１３は、自らの出力端子に、表示部１６へ、チューナ１２が抽出した放送信号（実際には映像信号２７）を出力させる。表示部１６は、映像信号２７に応じた映像を表示する。
【００３９】
以上のような構造およびフローチャートに基づく、テレビの動作について説明する。
ＭＰＵ１４はアンテナ１１が受信しチューナ１２が抽出した放送信号２５のレーティングを調べる（Ｓ１００）。レーティングが調べられると、ＭＰＵ１４は、メモリ１５が予め記憶したレーティングと放送信号２５を通じて送られてきたレーティングとが一致するか否かを判断する（Ｓ１０２）。仮にレーティングが一致すると判断した場合には（Ｓ１０２にてＹＥＳ）、処理部１７はＭＰＵ１４の制御により表示部１６を黒画面にする（Ｓ１０４）。表示部１６が黒画面になると、ＭＰＵ１４はインディケータ２０を点滅させるなどの処理を行なう（Ｓ１０６）。この場合、取扱説明書に、レーティングが一致するとインディケータ２０が点滅する旨が記載されていることが望ましい。
【００４０】
以上のようにして、本実施の形態に係るテレビは、レーティングの値が予め設定された値に一致すれば、表示部を黒画面にし、かつインディケータを点滅させるなどの処理を行なう。これにより、ユーザは、テレビ画面に「protected program by TV-Y」などのメッセージが表示されなくても、視聴を望まない映像が放送されていることを容易に知ることができる。そのことが容易に知られるので、「protected program by TV-Y」などのメッセージを表示する必要がなくなる。その結果、本来表示すべきでない画像が表示されることを防止しつつ、なぜ画像が表示されないのか容易に知らせることができるテレビを提供することができる。
【００４１】
なお、変形例として、Ｓ１０６にて、合成部２１は、ＭＰＵ１４の制御により、インディケータ２０が点滅し表示部１６が黒画面となっている間、「チャンネルを切換えてください」あるいは「故障ではありません」などといったメッセージの音声データを合成してもよい。この場合、スピーカ２２は合成部２１が合成した音声データに基づく音声を出力することとなる。これにより、合成部２１およびスピーカ２２は、音（この場合、口上を表わす音）を用いて情報を出力する装置となる。音声が出力される時期は、インディケータ２０が点滅している間であっても、インディケータ２０の点滅が終了した後であってもよい。音声が出力されることにより、「protected program by TV-Y」などのメッセージを表示する必要がなくなる上、映像が表示されないことに対するユーザの驚きを和らげることができる。この場合、ＭＰＵ１４において予め設定された選択に基づき、合成部２１はたとえば英語やスペイン語やフランス語といった互いに異なる言語のいずれかを用いてメッセージの音声データを作成してもよい。
【００４２】
また、変形例として、Ｓ１０６にて、合成部２１は、ＭＰＵ１４の制御により、インディケータ２０が点滅し表示部１６が黒画面となっている間、ユーザの心理を落ち着かせるための音楽のデータを合成してもよい。この場合、スピーカ２２は、合成部２１が合成したデータに基づき音楽を出力することとなる。これにより、合成部２１およびスピーカ２２は、音（この場合、音楽を表わす音）を用いて情報を出力する装置となる。出力され得る音楽には、多様な曲が含まれる。そのような音楽の例には「ユーモレスク」が含まれる。出力されることが望ましい音楽は、ユーザの心理をリラックスさせる音楽である。ユーザの心理をリラックスさせる音楽が出力されることにより、「protected program by TV-Y」などのメッセージを表示する必要がなくなる上、映像が表示されないことに対するユーザの驚きや失望感を和らげることができる。ユーザの驚きや失望感を和らげる効果は、製品としてのテレビに対するユーザの満足度を増加させ、かつクレームを軽減する効果の基礎となる。
【００４３】
また、変形例として、Ｓ１０６にて、インディケータ２０はレーティングが一致した場合に固有の色および点灯パターンのいずれかで点灯してもよい。これにより、ＯＳＤなどを設けることなくユーザにレーティングが一致したことを知らせることができる。
【００４４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００４５】
【図１】本発明の実施の形態に係るテレビの制御ブロック図である。
【図２】本発明の実施の形態に係るレーティングの比較処理の制御の手順を示すフローチャートである。
【符号の説明】
【００４６】
１１  アンテナ、１２  チューナ、１３  ＮＴＳＣデコーダ、１４  ＭＰＵ、１５  メモリ、１６  表示部、１７  処理部、１８  リモコン受信部、１９  リモコン、２０  インディケータ、２１  合成部、２２  スピーカ、２３  メモリカードドライブ、２４  選局信号、２５  放送信号、２６  ＸＤＳ情報、２７  映像信号、２８  操作信号、３１  ＸＤＳ分析部、４１  タイマ、５１  チャンネルマップ、６０  メモリカード、９１  カーソルキー、９２  テンキー、９３  決定キー。
【図１】
2007074372.tif 000003
【図２】
2007074372.tif 000004